(57)【要約】【課題】本発明は、リングライトに装着して被写体の近距離撮影を行う場合においても、いわゆる「てかり」等を伴うことのない適正な被写体像を撮影し得るカメラ用リングライトのバウンスアダプタを提供する。【解決手段】本発明のバウンスアダプタ１は、カメラ３１の鏡筒部３３に取り付けられ、閃光を発するリングライト２１に対して一端側がネジ結合により装着可能な円筒状基筒２と、この円筒状基筒２の他端側に基端を取り付け外方に突出させた外方端に至るほど拡開する拡開円筒状で、外周面を第１反射面３ｃとした内部反射筒３と、第１反射面３ｃの周り全体を囲む内周面を第２反射面６とした湾曲面部を具備し、円筒状基筒２の他端側の周りにリングライト２１からの光の入射孔５を、外方端３ｂの周りに大径の出射孔７を形成するとともに、内部反射筒２により連結部材８を介して支持された略椀形状の外部反射筒４とを有するものである。【選択図】図１
2009109664.tif 000002
【特許請求の範囲】
【請求項１】
カメラの鏡筒部に取り付けられるリングライトに対して一端側が着脱可能な円筒状基筒と、
この円筒状基筒の他端側に基端を取り付け外方に突出させた外方端に至るほど拡開する拡開円筒状で、外周面を第１反射面とした内部反射筒と、
前記内部反射筒の第１反射面の周り全体を囲む内周面を第２反射面とした湾曲面部を具備し、前記円筒状基筒の他端側の周りに前記リングライトからの光の入射孔を、前記内部反射筒の外方端の周りに前記入射孔より大径の出射孔を形成するとともに、前記内部反射筒により支持された略椀形状の外部反射筒と、
を有し、
前記リングライトからの光を入射孔を経て第１反射面、第２反射面で曲折反射し、出射孔を経て前記出射孔前方の被写体にバウンス光として照射するように構成したことを特徴とするカメラ用リングライトのバウンスアダプタ。
【請求項２】
カメラの鏡筒部に取り付けられ、閃光を発するリングライトに対して一端側がネジ結合により装着可能な円筒状基筒と、
この円筒状基筒の他端側に基端を取り付け外方に突出させた外方端に至るほど拡開する拡開円筒状で、外周面を第１反射面とした内部反射筒と、
前記内部反射筒の第１反射面の周り全体を囲む内周面を第２反射面とした湾曲面部を具備し、前記円筒状基筒の他端側の周りに前記リングライトからの光の入射孔を、前記内部反射筒の外方端の周りに前記入射孔より大径の出射孔を形成するとともに、前記内部反射筒により前記入射孔、出射孔の位置で細幅の連結部材を介して支持された略椀形状の外部反射筒と、
を有し、
前記リングライトからの光を入射孔を経て第１反射面、第２反射面で曲折反射し、出射孔を経て前記出射孔前方の被写体にバウンス光として照射するように構成したことを特徴とするカメラ用リングライトのバウンスアダプタ。
【請求項３】
カメラの鏡筒部に取り付けられ、カメラのシャッタ操作に連動して閃光を発するリングライトの発光面中央孔部に設けた雌ネジに対して一端側に設けた雄ネジをネジ込むことで装着可能な円筒状基筒と
この円筒状基筒の他端側に基端を取り付け外方に突出させた外方端に至るほど拡開する拡開円筒状で、外周面を第１反射面とした内部反射筒と、
前記内部反射筒の第１反射面の周り全体を囲む内周面を第２反射面とした湾曲面部を具備し、前記円筒状基筒の他端側の周りに前記リングライトからの光の入射孔を、前記内部反射筒の外方端の周りに前記入射孔より大径の出射孔を形成するとともに、前記内部反射筒の基端、外方端と、前記入射孔、出射孔の内壁とを各々連結する細幅の連結部材により支持された略椀形状の外部反射筒と、
を有し、
前記リングライトからの閃光を入射孔を経て第１反射面、第２反射面で曲折反射し、出射孔を経て前記出射孔前方の被写体にバウンス光として照射するように構成したことを特徴とするカメラ用リングライトのバウンスアダプタ。
【発明の詳細な説明】
【技術分野】
【０００１】
本発明は、カメラ用リングライトのバウンスアダプタに関するものである。
【背景技術】
【０００２】
カメラ撮影用の補助光源として、閃光を発するリングライト、被写体を連続照明するリングライト等が用いられていることは周知の通りである。
【０００３】
ところで、従来の閃光を発するリングライトの場合、このリングライトをカメラに装着した状態で被写体の近距離撮影を実行すると、被写体に対する光が強すぎてその反射光のためにいわゆる「てかり」を伴う被写体像が撮影されてしまうという不都合が多々生じる。
【０００４】
すなわち、閃光を発するリングライトを使用する場合、特に近距離撮影において閃光を和らげるバウンス光を被写体に照射することが要請される。
【０００５】
特許文献１には、関連技術として、リングライトの光出口面近傍に光学部材を回転可能に配置し、光出口面との間隔調整によってリングライトから出て行く光を物体に集束させ、暗い斑点を無くすように構成したリングライト用のアダプター光学系が開示されている。  しかし、特許文献１の場合、リングライトの出射光の集束を主目的とするものであり、出射光のバウンス作用を期待できるものではない。
【特許文献１】特開２０００−０８１５７４号公報
【発明の開示】
【発明が解決しようとする課題】
【０００６】
本発明が解決しようとする問題点は、リングライトを使用して被写体の近距離撮影を行う場合においても、いわゆる「てかり」等を伴うことのない適正な被写体像を撮影し得るようなカメラ用リングライトのバウンスアダプタが存在しない点である。
【課題を解決するための手段】
【０００７】
本発明のカメラ用リングライトのバウンスアダプタは、カメラの鏡筒部に取り付けられるリングライトに対して一端側が着脱可能な円筒状基筒と、この円筒状基筒の他端側に基端を取り付け外方に突出させた外方端に至るほど拡開する拡開円筒状で、外周面を第１反射面とした内部反射筒と、前記内部反射筒の第１反射面の周り全体を囲む内周面を第２反射面とした湾曲面部を具備し、前記円筒状基筒の他端側の周りに前記リングライトからの光の入射孔を、前記内部反射筒の外方端の周りに前記入射孔より大径の出射孔を形成するとともに、前記内部反射筒により支持された略椀形状の外部反射筒と、を有し、前記リングライトからの光を入射孔を経て第１反射面、第２反射面で曲折反射し、出射孔を経て前記出射孔前方の被写体にバウンス光として照射するように構成したことを最も主要な特徴とする。
【発明の効果】
【０００８】
請求項１記載の発明によれば、リングライトに装着してカメラ撮影を行うことで、リングライトからの光をソフトなバウンス光に変換して被写体に照射することができ、被写体の近距離撮影を行う場合においても、いわゆる「てかり」等を伴うことのない適正な被写体像を撮影することができるカメラ用リングライトのバウンスアダプタを提供することができる。
【０００９】
請求項２及び請求項３記載の発明によれば、閃光を発光するリングライトに装着してカメラ撮影を行うことで、リングライトからの光をソフトなバウンス光に変換して被写体に照射することができ、被写体の近距離撮影を行う場合においても、いわゆる「てかり」等を伴うことのない適正な被写体像を撮影することができ、しかも、リングライトに対する装着、離脱の取り扱いが極めて簡略なカメラ用リングライトのバウンスアダプタを提供することができる。
【発明を実施するための最良の形態】
【００１０】
本発明は、リングライトを使用して被写体の近距離撮影を行う場合においても、このリングライトに装着するだけでいわゆる「てかり」等を伴うことのない適正な被写体像を撮影し得るようなカメラ用リングライトのバウンスアダプタを提供するという目的を有する。
【００１１】
本発明のカメラ用リングライトのバウンスアダプタは、カメラの鏡筒部に取り付けられ、カメラのシャッタ操作に連動して閃光を発するリングライトの発光面中央孔部に設けた雌ネジに対して一端側に設けた雄ネジをネジ込むことで装着可能な円筒状基筒と、この円筒状基筒の他端側に基端を取り付け外方に突出させた外方端に至るほど拡開する拡開円筒状で、外周面を第１反射面とした内部反射筒と、前記内部反射筒の第１反射面の周り全体を囲む内周面を第２反射面とした湾曲面部を具備し、前記円筒状基筒の他端側の周りに前記リングライトからの光の入射孔を、前記内部反射筒の外方端の周りに前記入射孔より大径の出射孔を形成するとともに、前記内部反射筒の基端、外方端と、前記入射孔、出射孔の内壁とを各々連結する細幅の連結部材により支持された略椀形状の外部反射筒と、を有し、  前記リングライトからの閃光を入射孔を経て第１反射面、第２反射面で曲折反射し、出射孔を経て前記出射孔前方の被写体にバウンス光として照射する構成により上述した目的を実現した。
【実施例】
【００１２】
以下に、本発明の実施例に係るカメラ用リングライトのバウンスアダプタについて図面を参照して詳細に説明する。
【００１３】
図１は、本発明の実施例に係るバウンスアダプタ１及びこのバウンスアダプタ１を装着するリングライト２１、さらには例えばデジタルカメラのようなカメラ３１を示すものである。また、図２はバウンスアダプタ１自体を示すものである。
【００１４】
前記カメラ３１は、カメラ本体３２の前面に鏡筒部３３を備えるとともに、カメラ本体３２の上面にシャッタ３４、シュー部３５を備えた公知の構成となっている。
【００１５】
前記リングライト２１は、中央に円形孔２２ａを有する円環状で所定の厚さをもった本体２２と、この本体２２の裏面側から突出させるとともに、突出端外周に雄ネジ２４を設けた取り付け筒部２３と、本体２２の表面側において円形孔２２ａの周りに設けた雌ネジ２５と、を有している。前記雄ネジ２４は、カメラの鏡筒部３３に設けた雌ネジ３３ａにねじ込まれる。
【００１６】
また、前記リングライト２１は、本体２２に一端を接続したケーブル２０と、前記カメラ３１のシュー部３５に着脱可能に装着するとともに、ケーブル２０の他端を接続した略箱型状の装着筐体２６とを備えている。
【００１７】
前記リングライト２１は、さらに、図３に示すように、その表面側の内部に、キセノンランプ等からなる環状発光管２７、環状の反射鏡２９を内蔵するとともに、表面側の端面に環状で光が透過する透過板２８を備えている。
【００１８】
前記装着筐体２６は、シュー部３５の端子と接触しシャッタ３４のシャッタ信号を取得する筐体側端子、電源、昇圧回路、点灯制御回路等を内蔵した公知の構成からなり、カメラ３１のシャッタ３４の押下に連動して、前記昇圧回路、点灯制御回路の動作で環状発光管２７を駆動し閃光（ストロボ光）を前記透過板２８の前方に照射するように構成している。
【００１９】
次に、前記バウンスアダプタ１について詳述する。
【００２０】
このバウンスアダプタ１は、一端側に設けた雄ネジ２ａを前記リングライト２１の雌ネジ２５にネジ込むことでリングライト２１に装着可能な円筒状基筒２と、この円筒状基筒２の他端側に基端３ａを取り付け、外方に突出させた外方端３ｂに至るほど拡開する拡開円筒状で、外周面を例えば白色等の第１反射面３ｃとした内部反射筒３と、前記内部反射筒３の第１反射面３ｃの周り全体を囲む内周面全体を例えば白色等の第２反射面６とした湾曲面部を具備し、前記円筒状基筒２の他端側（基端３ａ側）の周りに前記リングライト２１からの光の入射孔５を、前記内部反射筒３の外方端３ｂの周りに前記入射孔５より大径の出射孔７を形成する略椀形状で前記内部反射筒３と同心配置の外部反射筒４と、を有している。
【００２１】
前記内部反射筒３の基端３ａ、外方端３ｂの各外周と、前記外部反射筒４の入射孔６、出射孔７の内壁との間には、細幅の連結部材８が例えば９０度間隔で４個ずつ連結配置され、これにより、前記外部反射筒４は内部反射筒３の外周外側全域にわたって同心で固定配置している。
【００２２】
すなわち、前記バウンスアダプタ１は、前記リングライト２１からの閃光を入射孔５を経て第１反射面３ｃ、第２反射面６で曲折反射して分散させ、出射孔７を経て前記出射孔７の前方の図示しない被写体にバウンス光として照射するように構成している。
【００２３】
本実施例に係るバウンスアダプタ１によれば、上述したように構成したことにより、以下のような作用、効果を発揮する。
【００２４】
すなわち、本実施例に係るバウンスアダプタ１によれば、例えばカメラ３１にリングライト２１を装着し、かつ、前記装着筐体２６をカメラ３１のシュー部３５に装着した状態で、このバウンスアダプタ１の雄ネジ２ａを前記リングライト２１の雌ネジ２５にねじ込むことでリングライト２１に簡略に装着することができる。逆にバウンスアダプタ１を手に持ちねじ込み時と反対に回すことでリングライト２１から容易に離脱させることができる。このように本実施例に係るバウンスアダプタ１は、装着、離脱の取り扱いが極めて簡略である。
【００２５】
また、上述したようにしてバウンスアダプタ１を装着した状態で、カメラ３１の操作者が被写体にバウンスアダプタ１を対面させ、シャッタ３４を押下すると、図３に示すように、このシャッタ３４の押下に連動して、前記昇圧回路、点灯制御回路の動作でリングライト２１の環状発光管２７から閃光がバウンスアダプタ１に向けて照射され、この閃光は入射孔５を経て第１反射面３ｃ、第２反射面６で曲折反射して分散し、さらに、出射孔７を経てその前方の被写体にバウンス光として照射される。
【００２６】
これにより、前記リングライト２１の環状発光管２７から閃光を直接被写体に照射する場合に比べ、被写体にソフトなバウンス光を照射しての撮影を実現でき、被写体の近距離撮影を行う場合においても、いわゆる「てかり」等を伴うことのない適正な被写体像を得ることができる。
【００２７】
また、ポートレート撮影に使用する場合においては、上述したようなソフトなバウンス光の照射によって、瞳に写るいわゆるキャッチアイを大きくすることができる利点もある。
【産業上の利用可能性】
【００２８】
本発明のカメラ用リングライトのバウンスアダプタは、上述したデジタルカメラはもとより、スチールカメラ、ビデオカメラ、さらには、カメラを水中カメラケース内に内蔵し水中での撮影を行う水中カメラシステム等にも広範に応用可能である。
【図面の簡単な説明】
【００２９】
【図１】本発明の実施例に係るカメラ用リングライトのバウンスアダプタ、及び、リングライト、カメラを示す分離状態の概略斜視図である。
【図２】本実施例に係るカメラ用リングライトのバウンスアダプタの単体を示す斜視図である。
【図３】本実施例に係るカメラ用リングライトのバウンスアダプタを使用した場合の閃光の反射状態を示す概略説明図である。
【符号の説明】
【００３０】
１    バウンスアダプタ
２    円筒状基筒
２ａ  雄ネジ
３    内部反射筒
３ａ  基端
３ｂ  外方端
３ｃ  第１反射面
４    外部反射筒
５    入射孔
６    第２反射面
７    出射孔
８    連結部材
２０    ケーブル
２１    リングライト
２２    本体
２２ａ  円形孔
２３    取り付け筒部
２４    雄ネジ
２５    雌ネジ
２６    装着筐体
２７    環状発光管
２８    透過板
２９    反射鏡
３１    カメラ
３２    カメラ本体
３３    鏡筒部
３３ａ  雌ネジ
３４    シャッタ
３５    シュー部
【図１】
2009109664.tif 000003
【図２】
2009109664.tif 000004
【図３】
2009109664.tif 000005